(57)【特許請求の範囲】
【請求項１】
中間周波信号の帯域幅を広帯域と狭帯域とに切り換えるスイッチ回路と、
ＦＭ復調出力あるいは上記中間周波信号の検波出力が供給される第１および第２のバンドパスフィルタと、
これら第１および第２のバンドパスフィルタの出力信号のレベルをそれぞれ検出する第１および第２のレベル検出回路と、
上記第１のレベル検出回路の検出出力から上記スイッチ回路の制御信号を形成する制御信号形成回路と
を有し、
上記第１のバンドパスフィルタは、隣接妨害およびマルチパスによる高い周波数成分を通過させる通過帯域とされ、
上記第２のバンドパスフィルタは、上記マルチパスによる高い周波数成分および低い周波数成分のうちの上記低い周波数成分を通過させる通過帯域とされ、
上記制御信号形成回路は、
上記第１のレベル検出回路の検出出力が所定のスレッショールドレベル以上のとき、上記スイッチ回路により上記中間周波信号の帯域幅を上記広帯域から上記狭帯域に切り換えるとともに、
上記第２のレベル検出回路の検出出力のレベルが大きくなるにしたがって上記スレッショールドレベルが大きくなる
ようにしたＦＭ受信機。
【請求項２】
請求項１に記載のＦＭ受信機において、
上記第１のバンドパスフィルタの通過帯域は50ｋHz〜200ｋHzであり、
上記第２のバンドパスフィルタの通過帯域は10ｋHz〜30ｋHzである
ようにしたＦＭ受信機。
【発明の詳細な説明】
【０００１】
【発明の属する技術分野】
この発明は、ＦＭ受信機に関する。
【０００２】
【従来の技術】
ＦＭ受信機として、隣接妨害のあるときには、中間周波フィルタの通過帯域幅を自動的に狭くすることにより、隣接妨害の影響を軽減するようにした受信機がある。
【０００３】
【発明が解決しようとする課題】
ところが、隣接妨害波を検出して中間周波フィルタの通過帯域幅を変更するだけでは、以下に述べるような問題を生じてしまう。
【０００４】
すなわち、ＦＭ放送においては、本来の音声放送の番組に、文字情報などのデジタルデータを周波数多重化して送信することが実現されている。このＦＭ文字多重放送は、日本ではＤＡＲＣ方式と呼ばれる方式が採用され、アメリカやヨーロッパではＤＡＲＣ方式を変形したＤＲＩＳ方式が採用されている。
【０００５】
そして、これらの方式においては、文字情報などのデジタルデータの多重化の規格が、
副搬送周波数：76ｋHz
変調方式    ：ＬＭＳＫ
とされている。そして、そのＬＭＳＫ信号が、本来の音声放送の番組のステレオコンポジット信号に周波数多重化され、その周波数多重化信号が送信される。
【０００６】
また、ヨーロッパにおいては、ＲＤＳ方式と呼ばれるデータの多重放送も実用化されている。このＲＤＳ方式により送信されるデジタルデータは、放送局や番組などに関するデータであり、その多重化の規格は、
副搬送周波数：57ｋHz
変調方式    ：平衡変調
とされている。そして、その平衡変調信号が、本来の音声放送の番組のステレオコンポジット信号に周波数多重化され、その周波数多重化信号が送信される。
【０００７】
したがって、ＦＭ文字多重放送により文字情報を得る場合、あるいはＲＤＳ方式のＦＭ放送におけるデータを利用する場合、中間周波フィルタの通過帯域幅は、ＬＭＳＫ信号や平衡変調信号に対応して広いことが要求される。
【０００８】
しかし、受信波にマルチパスを生じている場合には、そのマルチパス成分により隣接妨害波の検出回路が誤動作をし、その結果、中間周波フィルタの通過帯域幅が狭くなってしまう。すると、文字多重放送やＲＤＳ放送を受信する場合、そのＬＭＳＫ信号やその平衡変調信号のレベルが低下してしまい、文字多重放送やＲＤＳ放送を正常に受信できなくなってしまう。
【０００９】
この発明は、このような問題点を解決しようとするものである。
【００１０】
【課題を解決するための手段】
この発明においては、
中間周波信号の帯域幅を広帯域と狭帯域とに切り換えるスイッチ回路と、
ＦＭ復調出力あるいは上記中間周波信号の検波出力が供給される第１および第２のバンドパスフィルタと、
これら第１および第２のバンドパスフィルタの出力信号のレベルをそれぞれ検出する第１および第２のレベル検出回路と、
上記第１のレベル検出回路の検出出力から上記スイッチ回路の制御信号を形成する制御信号形成回路と
を有し、
上記第１のバンドパスフィルタは、隣接妨害およびマルチパスによる高い周波数成分を通過させる通過帯域とされ、
上記第２のバンドパスフィルタは、上記マルチパスによる高い周波数成分および低い周波数成分のうちの上記低い周波数成分を通過させる通過帯域とされ、
上記制御信号形成回路は、
上記第１のレベル検出回路の検出出力が所定のスレッショールドレベル以上のとき、上記スイッチ回路により上記中間周波信号の帯域幅を上記広帯域から上記狭帯域に切り換えるとともに、
上記第２のレベル検出回路の検出出力のレベルが大きくなるにしたがって上記スレッショールドレベルが大きくなる
ようにしたＦＭ受信機
とするものである。
したがって、マルチパスのあるときには、隣接妨害波の検出レベルが変更されることになる。
【００１１】
【発明の実施の形態】
図１は、この発明を、ＦＭ文字多重放送の受信ができるＦＭ受信機に適用した場合の一形態を示す。
【００１２】
すなわち、ＦＭ放送波信号がアンテナ１１により受信され、このＦＭ放送波信号がフロントエンド回路１２に供給される。このフロントエンド回路１２は、スーパーヘテロダイン方式に構成され、目的とする周波数のＦＭ放送波信号を中間周波信号Ｓ12（中間周波数ｆ12は、例えば10.7ＭHz）に周波数変換して出力するものである。
【００１３】
そして、この中間周波信号Ｓ12が、中間周波フィルタ１３に供給されて不要な信号成分が除去されてから中間周波フィルタ１４に供給される。この場合、中間周波フィルタ１３、１４は、例えばセラミックフィルタにより構成される。また、中間周波フィルタ１３の通過帯域は、文字多重放送のＬＭＳＫ信号を確実に得ることができるような広帯域、例えばｆ12±90ｋHzとされる。さらに、中間周波フィルタ１４の通過帯域は、音声出力を得るときに、隣接妨害やマルチパスなどの影響を軽減できるような狭帯域、例えばｆ12±40ｋHzとされる。
【００１４】
こうして、中間周波フィルタ１３からは広帯域の中間周波信号Ｓ13が取り出され、中間周波フィルタ１４からは狭帯域の中間周波信号Ｓ14が取り出される。そして、これら中間周波信号Ｓ13、Ｓ１４がスイッチ回路１５の一方の接点Ｗおよび他方の接点Ｎに供給される。
【００１５】
そして、スイッチ回路１５からは、後述するようにして中間周波信号Ｓ13、Ｓ14の一方が取り出され、この取り出された中間周波信号が、リミッタアンプ１６を通じてＦＭ復調回路１７に供給される。こうして、ＦＭ復調回路１７からは、その復調出力信号Ｓ17として、ＦＭ文字多重放送の受信時には、ステレオコンポジット信号とＬＭＳＫ信号との多重化信号が取り出され、ＦＭ文字多重放送の受信時ではないときには、ステレオコンポジット信号が取り出される。
【００１６】
そして、この復調回路１７の復調信号Ｓ17がローパスフィルタ１８に供給されてステレオコンポジット信号が取り出され、このステレオコンポジット信号がステレオ復調回路１９に供給されて左および右チャンネルのオーディオ信号Ｌ、Ｒが復調され、これら信号Ｌ、Ｒがアンプ２１Ｌ、２１Ｒを通じてスピーカ２２Ｌ、２２Ｒに供給される。
【００１７】
また、ＦＭ文字多重放送の受信時には、復調信号Ｓ17が、バンドパスフィルタ３１に供給されてＬＭＳＫ信号が取り出され、このＬＭＳＫ信号が文字多重放送の表示処理回路３２に供給され、デコードおよびエラー訂正などが行われてから表示に使用される。
【００１８】
ところで、隣接妨害があるとき、その隣接妨害により復調信号Ｓ17に生じるノイズ成分（隣接妨害波成分）は、比較的高い周波数帯域に分布する。また、マルチパスがあるとき、そのマルチパスにより復調信号Ｓ17に生じるノイズ成分（マルチパス成分）は、比較的低い周波数帯域と、高い周波数帯域とに分布する。
【００１９】
そこで、その復調信号Ｓ17がバンドパスフィルタ４１に供給される。このバンドパスフィルタ４１は、その通過帯域が例えば50ｋHz〜200 ｋHzとされ、隣接妨害によるノイズ成分と、マルチパスによる比較的高い周波数帯域のノイズ成分とを取り出すようにされている。そして、このバンドパスフィルタ４１の出力信号Ｓ41が検波回路４２に供給されて信号Ｓ41のレベルに対応したレベルの直流電圧Ｖ42とされ、この電圧Ｖ42が制御信号形成回路４３に供給される。
【００２０】
そして、形成回路４３において、電圧Ｖ42がスレッショールドレベルＶTH以上のとき“１”となる信号Ｓ43が形成され、この信号Ｓ43がスイッチ回路１５にその制御信号として供給され、スイッチ回路１５は、Ｓ43＝“０”のとき、接点Ｗに接続され、Ｓ43＝“１”のとき、接点Ｎに接続される。
【００２１】
また、復調回路１７の復調信号Ｓ17がバンドパスフィルタ４４に供給される。このバンドパスフィルタ４４は、その通過帯域が例えば10ｋHz〜30ｋHzとされ、マルチパスによる比較的低い周波数成分を取り出すようにされている。そして、このバンドパスフィルタ４４の出力信号Ｓ44が検波回路４５に供給されて信号Ｓ44のレベルに対応したレベルの直流電圧Ｖ45とされ、この電圧Ｖ45が制御信号形成回路４３に供給される。
【００２２】
そして、形成回路４３において、電圧Ｖ45によりスレッショールドレベルＶTHの大きさが制御され、電圧Ｖ45が所定値よりも大きいときには、スレッショールドレベルＶTHは対応して大きくされる。
【００２３】
このような構成によれば、バンドパスフィルタ４１の出力信号Ｓ41には、隣接妨害によるノイズ成分と、マルチパスによるの高域のノイズ成分とが含まれる。したがって、電圧Ｖ42は、隣接妨害と、マルチパスとの和の大きさを示していることになる。また、バンドパスフィルタ４４の出力信号Ｓ44には、マルチパスによる低域のノイズ成分が含まれる。したがって、電圧Ｖ45は、マルチパスの大きさを示していることになる。
【００２４】
そして、マルチパスが十分に小さく、かつ、隣接妨害の少ない場合には、Ｖ42＜ＶTHとなるので、Ｓ43＝“０”であり、スイッチ回路１５は接点Ｗに接続される。
【００２５】
したがって、この場合には、広帯域の中間周波信号Ｓ13が、スイッチ回路１５により選択されてＦＭ復調回路１７に供給されるので、ＦＭ文字多重放送によるＬＭＳＫ信号を正常に得ることができ、その結果、ＦＭ文字多重放送による文字を正常に表示することができる。
【００２６】
そして、マルチパスは十分に小さいが、隣接妨害が大きくなると、これにつれ電圧Ｖ45が大きくなる。そして、Ｖ45≧ＶTHになると、Ｓ43＝“１”となってスイッチ回路１５は接点Ｎに接続される。したがって、この場合には、狭帯域の中間周波信号Ｓ14が、スイッチ回路１５により選択されてＦＭ復調回路１７に供給されるので、ＦＭ文字多重放送による文字表示はできないが、ＦＭ放送を適切に聴くことができる。
【００２７】
一方、隣接妨害は小さいが、マルチパスが大きくなると、電圧Ｖ42が大きくなるが、電圧Ｖ45も大きくなり、この電圧Ｖ45に対応してスレッショールドレベルＶTHも大きくなる。したがって、Ｖ42＜ＶTHの関係が維持されるので、Ｓ43＝“０”であり、スイッチ回路１５は接点Ｗに接続される。
【００２８】
したがって、この場合にも、広帯域の中間周波信号Ｓ13が、スイッチ回路１５により選択されてＦＭ復調回路１７に供給される。そして、ＦＭ文字多重放送における文字情報はデジタルデータにより送信されているので、多少のマルチパスがあっても文字情報を正常に得ることができ、その結果、ＦＭ文字多重放送による文字を正常に表示することができる。
【００２９】
こうして、上述のＦＭ受信機によれば、マルチパスを生じている場合には、隣接妨害波の検出レベルを変更するようにしているので、マルチパスによって中間周波帯域が狭くなってしまうことがなく、したがって、マルチパス状況下でもＦＭ文字多重放送を正常に受信することができる。
【００３０】
なお、上述においては、ＦＭ文字多重放送を受信する場合であるが、ＲＤＳ方式のＦＭ放送を受信する場合には、その平衡変調信号をバンドパスフィルタ３１により取り出して処理すればよい。
【００３１】
また、リミッタアンプ１６の一部から中間周波信号を取り出して検波すれば、隣接妨害波およびマルチパスを含む信号を得ることができるので、この信号をバンドパスフィルタ４１、４４に供給して同様の処理を行うこともできる。
【００３２】
【発明の効果】
この発明によれば、ＦＭ文字多重放送やＲＤＳ方式のＦＭ放送などを受信する場合、マルチパスによって中間周波帯域が狭くなることがない。
【図面の簡単な説明】
【図１】この発明の一形態を示す系統図である。
【符号の説明】
１１…フロントエンド回路、１３および１４…中間周波フィルタ、１５…スイッチ回路、１６…リミッタアンプ、１７…ＦＭ復調回路、１８…ローパスフィルタ、１９…ステレオ復調回路、２１Ｌおよび２１Ｒ…アンプ、２２Ｌおよび２２Ｒ…スピーカ、３１…バンドパスフィルタ、３２…表示処理回路、４１…バンドパスフィルタ、４２…レベル検出回路、４３…制御信号形成回路、４４…バンドパスフィルタ、４５…レベル検出回路
【図１】
0004161150.tif 000002